(57)【要約】      （修正有）【課題】エアー・インタフェース上で高速伝送を実施するための方法を提供する。【解決手段】送信システムは同相のチャネルのセット９０と直角−位相チャネルのセット９２を提供する。同相のチャネルのセット９０が使用されて、完全なセットの直角中間速度制御と追尾チャネルを提供する。直角−位相のチャネル９２セットが使用されて、高速度補充チャネルと拡張されたセットの中間速度チャネルを提供する。拡張されたセットの中間速度チャネルは、互いに直交し、かつ最初の中間速度チャネルに直交する。高速度補充チャネルは短チャネル符合を使用して一セットの中間速度チャネル上で発生される。中間速度チャネルは一セットの長チャネル符合を使用して発生される。【選択図】図３
2010200343.tif 000002
【特許請求の範囲】
【請求項１】
無線周波数帯域幅で第一のセットの中間速度チャネル上で該中間速度通信のセットを送信するための第一の信号処理手段、および、
前記無線周波数帯域幅で第二のセットの中間速度チャネル上で高速度通信を送信するための第２の信号処理手段であって、前記第二のセットの中間速度チャネルは前記第一のセットの中間速度チャネルに直交する第２の信号処理手段、
を具備する、符号分割多重アクセス無線周波数信号処理を使用する一セットの中間速度通信と関連して高速度通信を実施するための電気通信システム。
【請求項２】
前記第一のセットの中間速度チャネルは、第一のセットのチャネル符号により定義され、及び前記第二のセットの中間速度チャネルは第二のセットのチャネル符合により定義され、及び
該高速度通信は、前記第二のセットのチャネル符号の均一に間隔をおいた部分集合上で送信される、
請求項１に記載の電気通信システム。
【請求項３】
前記第一の信号処理手段は、さらに、対応する一セットの長チャネル符号を使用して前記セットの中間速度チャネルを発生し、及び
前記第二の信号処理手段は、さらに、短チャネル符号を有する高速度チャネルを発生する、
請求項１に記載の電気通信システム。
【請求項４】
一セットの高速度符号シンボルを具備し、及び
各高速度符号シンボルは、前記短チャネル符号のインスタンスで変調される、
請求項３に記載の電気通信システム。
【請求項５】
前記第一のセットのチャネル符号及び前記第二のセットのチャネル符号は、６４シンボル・ウォルシュ符号である、
請求項１に記載された電気通信システム。
【請求項６】
前記第二のセットの中間速度チャネルの他の部分集合を使用して第二のセットの中間通信を送信するための第三の信号処理手段、
を更に具備する請求項２に記載の電気通信システム。
【請求項７】
前記第一のセットの中間速度チャネルは、同相のチャネルにおいて送信され、及び
前記第二のセットの中間速度チャネルは、直角−位相のチャネルにおいて送信される、
請求項１に記載の電気通信システム。
【請求項８】
前記第一の信号処理手段は、さらに 前記第一のセットの中間速度チャネルに応答して加算されたデータを発生するための加算器、
前記加算されたデータに応答して第一の拡散データを発生するための第一の拡散器手段、及び
前記高速度チャネルに応答して、第二の拡散データを発生するための第二の拡散器手段、
を具備する請求項３に記載の電気通信システム。
【請求項９】
前記加算されたデータに応答して第一の同相の拡散データを発生するための第一の同相拡散器手段、
前記高速度チャネルに応答して、第一の直角-位相の拡散データを発生させるための第一の直角位相拡散器手段、
前記高速度チャネルに応答して、第二の同相の拡散データを発生するための第二の同相拡散器手段、
前記高速度チャネルに応答して、第二の直角−位相の拡散データを発生するための第二の直角−位相拡散器手段、及び 
前記第一の同相の拡散データと前記第二の直角−位相の拡散データの負のインスタンスとに応答して、同相のタームを発生するための第一の加算器手段、及び
前記第一の直角−位相の拡散データと前記第二の同相の拡散データとに応答して、直角−位相のタームを発生するための第二の加算器手段、
をさらに具備している請求項３に記載の電気通信システム。
【請求項１０】
前記同相のタームを変調するための同相の搬送波発生器、及び
前記直角-位相のタームを変調するための直角−位相の搬送波発生器、
をさらに具備している請求項９に記載された電気通信システム。
【請求項１１】
a）一セットの長ウォルシュ符号を使用して一セットのチャネルを発生する、
b）短ウォルシュ符号を使用して高速度チャネルを発生する、
c）第一の搬送波を介して前記セットのチャネルを送信する、及び、
d）前記第一の搬送波に直交する第二の搬送波を介して前記高速度チャネルを送信する、
工程を具備する無線周波数信号を使用してデータを送信する方法。
【請求項１２】
同相の擬似ランダム・ノイズ符号及び同相の搬送波とで前記セットのチャネルの第一のインスタンスを変調する、
直角−位相の疑似ランダム・ノイズ符号、及び直角−位相の搬送波とで前記セットのチャネルの第二のインスタンスを変調する、および、
前記セットのチャネルの前記第一のインスタンスを、前記セットのチャネルの第二のインスタンスと加算する、
工程をさらに具備する請求項１１に記載の方法。
【請求項１３】
同相の擬似ランダム・ノイズ符号、及び同相の搬送波で前記高速度チャネルの第一のインスタンスを変調する、
直角−位相の疑似ランダム・ノイズ符号及び直角−位相の搬送波で前記高速度チャネルの第二のインスタンスを変調する、
前記高速度チャネルの前記第二のインスタンスを逆変換する、及び
前記高速度チャネルの前記第二のインスタンスで前記高速度チャネルの前記インスタンスを加算する、
工程をさらに具備している請求項１２に記載の方法。
【請求項１４】
前記セットのチャネルからのひとつのチャネル上でパイロット・データを送信する工程をさらに具備する請求項１１に記載された方法。
【請求項１５】
前記セットのチャネルが、パイロットチャネル、同調チャネル及び追尾チャネルとを具備する請求項１０に記載された電気通信システム。
【請求項１６】
前記短符号が、一セットの均一に間隔をおかれた長ウォルシュ符号を占めている、請求項１１に記載の方法。
【請求項１７】
前記長ウォルシュ符号が６４ウォルシュ・シンボルを具備する、請求項１０に記載の電気通信システム。
【請求項１８】
一セットの中間速度チャネルを発生するための第一のチャネル発生システム、及び
該セットの中間速度チャネルに直交する高速度チャネルを発生するための第二のチャネル発生システム、
を具備する符号分割多重アクセス無線周波数信号上でデータを送信するための電気通信システム。
【請求項１９】
前記第一のチャネル発生システムは、一セットの長チャネル符号変調器を具備している、請求項１８に記載された電気通信システム。
【請求項２０】
前記第二のチャネル発生システムは、短チャネル符号変調器を具備する、請求項１９に記載された電気通信システム。
【請求項２１】
前記第二のチャネル発生システムは、一セットの均一に間隔をおいた長符号チャネルを介してデータを送信するための手段を具備する、
請求項１８に記載された電気通信システム。
【請求項２２】
a）多重チャネル・ターム、及び高速度タームを有する複素数データ源を発生する、
b）同相ターム、及び直角−位相タームを有する複素数拡散符号を発生する、
c）複素数データ源と、実数項及び虚数項をもたらしている前記複素数拡散符号とを複素乗算する、
d）同相の搬送波で前記実数項を変調する、および、
e）直角−位相の搬送波で前記虚数項を変調する、
工程を備えた、直接シーケンス・スペクトラム拡散信号処理を使用して多重チャネル通信システムを操作するための方法。
【請求項２３】
上記工程a)は、
a.１）一セットの中間速度データ源、及び一セットの長チャネル符号に応答して、一セットの中間速度チャネルを発生する、
a.２）前記セットの中間速度チャネルを加算することにより、前記多重チャネル・タームを発生する、及び
a.３）高速度データ源、及び短チャネル符号とに応答して、高速度チャネルを発生する、
工程を具備する請求項２２に記載された方法。
【請求項２４】
上記工程a.１）は、前記セットのチャネル符号で前記セットの中間速度データ源を変調する工程を具備する、請求項２３に記載の方法。
【請求項２５】
前記セットの中間速度チャネル、及び前記高速度チャネルの振幅を調整する工程をさらに具備する請求項２３に記載された方法。
【請求項２６】
上記工程a.３）は、一セットの中間速度チャネル上で前記高速度データを送信する工程を具備する、請求項２３に記載された方法。
【請求項２７】
上記工程a.３）は、
第二のセットの中間速度チャネル、及び第二のセットの長チャネル符号とに応答して、第二のセットの中間速度チャネルを発生する、及び
前記高速度チャネルで前記第二の中間速度チャネルを加算する、
工程をさらに具備する、請求項２３に記載の方法。
【請求項２８】
第一のユーザ・データに応答して、第一のチャネル・データを発生するための第一の長チャネル符号変調器、
第二のユーザ・データに応答して、第二のチャネル・データを発生するための第一の短チャネル符号変調器、
前記第一のチャネル・データに応答して、第一の同相のデータを発生するための第一の同相拡散器、
前記第二チャネル・データに応答して、第二の同相データを発生するための第二の同相拡散器、
前記第一のユーザ・データに応答して、第一の直角−位相のデータを発生するための第一の直角−位相拡散器、
第二のユーザ・データに応答して、第二の直角−位相のデータを発生するための第二の直角−位相拡散器、
前記第一の同相データと前記第二の直角−位相ユーザ・データの逆変換されたインスタンスとに応答して、同相のタームを発生するための第一の加算器、
前記第一の直角−位相データと前記第二の同相データとに応答して、直角−位相タームを発生するための第二の加算器、
前記第一のタームに応答して、同相の信号を発生させるための同相の搬送波正弦曲線変調器、
前記第二のタームに応答して、直角-位相信号を発生するための直角-位相の搬送波正弦曲線変調器、及び
前記同相の信号と前記直角-位相の信号とを累算するための加算器、
を具備するダイレクト・シーケンス・スペクトラム拡散通信システム。
【請求項２９】
前記第一のチャネルが前記第二のチャネルよりも低いデータ速度を有する、請求項２８に記載されたシステム。
【請求項３０】
a）同相の一セットの中間速度チャネルを発生する、
b）直角−位相のセットの中間速度チャネルを発生する、
c) 前記同相のセットの中間速度チャネル上で前記セットの高データ速度チャネルを送信する、及び
d）前記直角−位相のセットの中間速度チャネルの部分集合上で前記高速度通信を送信する、
工程を具備している、符号分割多重アクセス処理を使用して一セットの中間速度通信との関連において、高データ速度チャネルを送信するため方法。
【請求項３１】
前記部分集合が、一セットの均一に間隔をおかれたウォルシュ・チャネルを具備する、請求項３０に記載の方法。
【請求項３２】
前記工程a)が、
一セットの長チャネル符号で、前記一セットの中間速度通信を変調することによって、前記一セットのチャネルを発生する、
加算データを産している前記一セットのチャネルを加算する、
前記加算データと同相の拡散符号とに応答して、同相の拡散データを発生する、
前記加算されたデータと直角−位相の拡散符号とに応答して、直角−位相の拡散データを発生する、
同相の信号を産するため同相の搬送波で前記同相の拡散データを変調する、
直角-位相の信号を産するため直角位相の搬送波で前記直角-位相の拡散データを変調する、及び
前記同相の信号と前記直角−位相の信号とを加算する、
工程を具備する請求項３０に記載された方法。
【請求項３３】
上記工程b)が、
短チャネル符号で前記高速度通信を変調することによって、前記高速度チャネルを発生する、
前記高速度チャネルと前記同相の拡散符号とに応答して、高速度同相の拡散データを発生する、
前記高速度データと直角-位相の拡散符号とに応答して、速度直角-位相の拡散データを発生する、
高速度直角-位相の信号を産するため直角-位相の搬送波で前記高速度同相の拡散データを変調する、
高速度同位相の信号を産するため同位相の搬送波で、前記高速度直角−位相の拡散データの逆変換されたインスタンスを変調する、及び
前記高速度同相の信号と前記高速度直角−位相の信号とを加算する、
工程を具備した請求項３０に記載された方法。
【請求項３４】
上記工程a)は、
a.１）一セットのチャネル符号を使用して前記セットの中間速度通信を変調する、
a.２）加算データ産するため前記セットのチャネル符号を加算する、
a.３) 第一のセットの搬送波正弦曲線で前記加算データを変調する、
工程を具備し、
上記工程b)は、
b.１）前記高速度チャネルを産するため短チャネル符号で前記高速度チャネルを変調する、及び
b.２）前記第一のセットの搬送波正弦曲線と位相が９０度外れている第二のセットの搬送波正弦曲線で前記高速度チャネルを変調する、
工程を具備する、
請求項３０に記載された方法。
【請求項３５】
前記短チャネル符号は、２つのウォルシュ・シンボルを具備し、
前記長チャネル符号は、６４のウォルシュ・シンボルを具備している請求項３４に記載された方法。
【発明の詳細な説明】
【技術分野】
【０００１】
本発明は無線電気通信に関する。特に、本発明は高伝送速度のエアー・インタフェース(over-the-air interface)を実施するための新しい、改良された方法に関する。
【背景技術】
【０００２】
通信工業会（TIA）のIS-９５規格、及びIS-９５A及びANSI J-STD-００８（ここでは、これらをひとまとめにして「IS-９５」と呼ぶ）のような派生したもの(derivatives)は、有効帯域幅の(bandwidth-efficient)デジタル・セル式電話システムを実行するために適したエア−インタフェースを定義する。このために、IS-９５は、最高１４.４キロビット／秒のデータ伝送速度を有する多重ラジオ周波数（RF）追尾チャネルを確立するための方法を提供する。追尾チャネルは、小さいファイル転送、電子メール、および、ファクシミリを含む音声電話を実施するために、または、デジタルデータ通信を実施するために使うことができる。
【０００３】
１４.４キロビット／秒はこれらの種類のより低いデータ速度の用途に適しているが、世界的なウェブ(web)、およびビデオ会議のようなより多くのデータ集約的な用途が増加する傾向は、非常により高い伝送速度要求を生じさせた。この新しい要求を満たすために、本発明はより高い伝送速度を可能とするエアー・インタフェースを提供することを目的とする。
【０００４】
図１は、IS-９５の使用に合致した態様で構成された非常に簡単化されたデジタル・セル式電話システムを示している。通信を実施する間、加入者装置１０と、RF信号を使用している基地局１２との間でデータを交換することによって、電話および他の通信が実施される。通信は、基地局１２から基地局制御装置（BSC）１４及び移動交換局１６を介して、公衆交換電話網（PSTN）１８か、もう一つの加入者装置１０のいずれかに、更に導かれる。BSC１４、および、MSC １６は、典型的にはモビリティ(mobility)制御、通話処理、および、通話経路選択(callrouting)機能性を提供する。
【０００５】
IS-９５に従ったシステムにおいて、加入者装置１０、および、基地局１２との間で交換したRF信号は、符号分割多元接続（CDMA）信号処理手法に従って処理される。CDMA信号処理手法の使用によって、隣接の基地局１２は同じRF帯域幅を使用することができ、送信パワー制御の使用と結び付けられた時には、それは、IS-９５を他のセル式電話システムよりも効率的なより広い帯域幅とする。
【０００６】
CDMA処理は、CDMA信号が一般に非スペクトル拡散方式に使われるよりも広いRF帯域幅上で拡散されるので、「スペクトラム拡散」技術とみなされる。IS-９５システムに対する拡散帯域幅は、１．２２８８MHzである。実質的にIS-９５を使用して構成されるCDMAに基づいたデジタル無線電気通信システムは、「ＣＤＭＡセルラ電話システムにおける信号波形を発生するシステムと方法(SYSTEM AND METHOD FOR GENERATING SIGNAL WAVEFORMS IN A CDMA CELLULAR TELEPHONE SYSTEM)」と名付けられる米国特許５,１０３,４５０に記載されている。この出願は、本発明の譲受人に譲渡され、および、本願明細書に引用される。
【０００７】
典型的なユーザーは彼または彼女が発生するよりも多くのデータを受信することを期待されるので、より高い伝送速度を求める要求は、逆方向リンクに対するよりも順方向リンクに対するほうが大きいことが、予想される。順方向リンク信号は、基地局１２から一つ以上の加入者装置１０に送信されるRF信号である。逆方向リンク信号は、加入者装置１０から基地局１２に送信されるRF信号である。
【０００８】
図２は、IS-９５順方向リンク信号の部分であるIS-９５順方向リンク追尾(traffic)チャネルと関連した信号処理を示している。順方向リンク追尾チャネルは、基地局１２から特定の加入者装置１０へ利用者データを送信するために使われる。正常動作の間、基地局１２は特定の加入者装置１０との通信ために使われる多重順方向リンク追尾チャンネルを発生する。加えて、基地局１２はパイロットチャネル、同期チャネル、および、ページング・チャネルを含む種々の制御チャネルを発生する。順方向リンク信号は、追尾チャンネル(traffic channels)と制御チャネルの合計である。
【０００９】
図２に示すように、利用者データはノード３０で入力され、フレームと呼ばれる２０ミリ秒(ms)のブロックにおいて、処理される。各フレーム内のデータ量は、次のより高い値のほぼ半分の値である、各々より低い値を持つ四つの値の一つで有り得る。また、二つの可能なフレームサイズの設定(sets)を利用することができ、それは、速度設定１、および、速度設定２と称する。
【００１０】
速度設定２に関しては、最も大きいまたは全速度(full-rate)のフレーム内に含まれるデータ量は、１３.３５キロビット／秒(ms)の伝送速度に対応する。速度設定１に関しては、全速度フレームに含まれるデータ量は、８.６キロビット／秒の伝送速度に対応する。より小さいサイズのフレームは二分の一速度、四分の一速度、及び八分の一速度フレームとして参照される。通常の会話の間に経験される音声アクティビティ(activity)内の変化に整合するために、種々のフレーム速度が、使用される。
【００１１】
CRC発生器３６は、CRCデータを、フレームサイズ、および速度設定に依存して発生されるCRCデータ量に加算する。テイル・バイト(Tail byte)発生器４０は、各フレームに公知の論理状態の８テイル・ビットを加えて、復号プロセスでの援助を行う。全速度フレームに関して、テイル・ビットおよびCRCビットの数は、速度設定１および速度設定２のために９.６および１４.４キロビット／秒に至る伝送速度をもたらす。
【００１２】
テイル・バイト発生器４０からのデータは、符号器４２によって、畳み込み(convolutionally)符号化され、符合シンボル(symbols)４４を生成する。速度１/２、拘束長（K）９の符号化が行われる。
【００１３】
パンクチュア(Puncture)４８は、速度設定２フレームのために６符号シンボル毎に二つを取り除き、実行される符号化を速度２/３に効果的に減少させる。このように、パンクチュア４８の出力において、符号シンボルは二つの速度設定１および速度設定２全速度フレームのために毎秒１９.２キロシンボルで（ksps）発生される。
【００１４】
ブロック・インターリーバー５０は、各フレーム上でブロック・インターリーブ(block interleaving)を実行し、インターリーブされた符号シンボルは、各符号シンボルための６４ウォルシュ・シンボルを発生するウォルシュ・符合発生器５４からのウォルシュ・チャネル符号で変調される。特定のウォルシュ・チャネル符号Ｗは、一セットの６４ウォルシュ・チャネル符号から選択され、特定の加入者装置１０、および、基地局１２間のインタフェース間で典型的に使われる。
【００１５】
ウォルシュ・シンボルは、それから複製され、一つの複製は拡散符号発生器５２からの同相のＰＮ拡散符号（PNI）で変調される。他の複製は拡散符号発生器５３からの直角−位相ＰＮ拡散符号（ＰＮQ）で変調される。同相のデータはそれからＬＰＦ５８によりローパスフィルターをかけられ、同相の正弦波の搬送信号で変調される。同様に、直角−位相データはＬＰＦ ６０によりローパスフィルターをかけられ、および、直角−位相正弦波の搬送波で変調される。二つの変調された搬送波信号は、信号s(t)を発生するために加算され、順方向リンク信号として送信される。
【発明の概要】
【００１６】
本発明は、高伝送速度エアー・インタフェースを実行するための新しく、改良された方法である。送信システムは、同相のチャネルセット、および、直角-位相チャネルセットを提供する。同相のチャネルセットは、直交中間速度制御(orthogonal medium ratチャネルセットl)と追尾チャネルの完全セットを提供するために用いられる。直角−位相チャネルセットは、高速度補充(supplemental)チャンネルと、お互いに直交し、かつ最初の中間速度チャンネルに直交する中間速度チャンネルの拡張セットを提供するために用いられる。高速度補充チャネルは、短チャネル符号を使用している一セットの中間速度チャンネル上で発生される。中間速度チャンネルは、一セットの長チャネル符号を使用して発生される。
【図面の簡単な説明】
【００１７】
特徴、目的、および、本発明の利点は、全体を通して同様の参照シンボルが付された図を参照しながら、後述の詳細な説明からより明らかになる。
【図１】セル式電話システムのブロック図である。
【図２】IS−９５規格に関連した順方向リンク信号処理のブロック図である。
【図３】本発明の一実施例に従って構成された送信システムのブロック図である。
【図４ａ】６４シンボル・ウォルッシュ符号と本発明の好適な実施例において、使われる関連インデックス(indexes)とのセットのリストである。
【図４ｂ】６４シンボル・ウォルッシュ符号と本発明の好適な実施例において、使われる関連インデックス(indexes)とのセットのリストである。
【図４ｃ】６４シンボル・ウォルッシュ符号と本発明の好適な実施例において、使われる関連インデックス(indexes)とのセットのリストである。
【図５】本発明の一実施例に従って実行されるチャネル符号化のブロック図である。
【図６】本発明の一実施例に従って構成される受信システムのブロック図である。
【図７】本発明の一実施例に従って構成される復号化システムのブロック図である。
【発明を実施するための形態】
【００１８】
図３は本発明の使用に合致した方法で構成された送信システムのブロック図である。典型的に、送信システムは、セル式電話システム内の順方向リンク信号を形成するために使われ、したがって、基地局１２にセットみ込まれる。図示された例示的構成において、送信システムは、以下を含む順方向リンク信号を生成する：ＩＳ-９５または中間速度の完全なセット、高速度補充チャンネルと同様の複数のチャンネル。加えて、記載されている実施例において、ＩＳ−９５チャンネルの拡張設定が提供される。本発明の代替の実施例は、複数の高速徒補充チャネルを提供することができ、またはＩＳ−９５チャネルの追加セットの使用を提供しないことができ、又はその両方である。また、ＩＳ−９５チャンネルを提供することが選ばれる一方で、本発明の他の実施例は、他のチャネルタイプ、および、処理プロトコルを取り入れることができる。
【００１９】
提供される例示的な実施例において、送信システムは、同相のチャネルセット９０、および、直角位相チャネルセット９２を提供する。同相チャネルセット９０は、直交するIS−９５制御、および、追尾チャンネルの完全なセットを提供するために使用される。同じパスを通して送信されるときに、直交チャンネルはお互いに干渉しない。直角−位相チャネルセット９２は、高速度補充のチャンネルとIS-９５チャンネルの拡張されたセットを提供するために使用される。この拡張されたセットは、IS-９５チャンネルがお互いに直交し、かつ最初のIS-９５チャンネルと直交している。本発明の好適な実施例において、全ての信号、および、図３に示されるデータは２進デジタルデータまたは電圧により表示される正や負の整数値により形成される。そして、それぞれ、論理的低、および、論理的高に対応する。
【００２０】
同相のチャネルセット９０に関して、IS−９５制御チャネル・システム１００は、ここで本願明細書に引用されるIS-９５に記載されている処理、符号化及びインターリーブを含む標準のIS-９５制御チャネルの一つと関連した種々の機能を実行する。この場合、ウォルシュ1・チャネル符号が使われるので、該処理はページング・チャンネルの使用に従っている。IS-９５制御チャネル・システム１００からの結果としての符号シンボルは、乗算器１０４によるウォルシュ1発生器１０２からのウォルシュ符号で変調される。ウォルシュ発生器１０２は、直交する同相のチャネルを発生するために用いられる。
【００２１】
ウォルシュ発生器１０２は、インデックス０〜６３（ウォルシュ0-63）の一セットのウォルシュ符号から、インデックス１（ウォルシュ1）のウォルシュ符号を繰り返して発生する。図４は、６４-シンボル・ウォルシュ符号のセットと、本発明の好適な実施例において使われる関連したインデックスのリストである。ウォルシュ・チップは、ウォルシュ・シンボルに対応し、１のウォルシュ・チップ値は負の(-)整数に対応するが、０のウォルシュ・チップ値は正の（＋）整数に対応する。IS-９５の下で、ウォルシュ1符号は、ページング・チャンネルに対応する。ウォルシュ1符号での変調により形成されたウォルシュ・シンボルは、チャンネル利得１０８(２)により調整された利得である。
【００２２】
パイロットチャネルは、チャンネル利得１０８(１)を使用している正の１の値を調整する利得により形成される。パイロットチャネルのために使われるウォルシュ0符号が全て正の１の値であり、そしてそれゆえにいかなる変調にも相当(equivalent)しないときには、いずれの符号化も、IS-９５に従ったパイロットチャネルのためには実行されない。
【００２３】
追加の制御チャネルは、追加のIS-９５制御チャネル・システム、追加のウォルシュ発生器、および、追加のチャンネル利得（全て示されていない）を使用する類似の形態において、発生される。この種の制御チャネルは、同期化チャンネルを含む。この同期化チャンネルは、ウォルシュ32符合で変調される。各タイプのIS-９５制御チャネルと関連した処理がIS-９５に記載されている。
【００２４】
同相Ｋチャネルセット内のIS-９５追尾チャンネルの一つと関連した処理が、IS-９５追尾(traffic)チャネルシステム１１０で示される。該システムは、上述された畳み込み符号化とインターリーブを含むIS-９５追尾チャンネルと関連した種々の機能を実行し、毎秒１９.２キロシンボルで一連のシンボルを発生する。IS-９５追尾チャネルシステム１１０からの符号シンボルは、乗算器１１４によるウォルシュ63発生器１１２からの６４-シンボル・ウォルシュ63符号で変調され、毎秒１.２２８８メガシンボルで一連のシンボルを発生する。乗算器１１４からのウォルシュ・シンボルは、利得調整１０８(６４)により調整された利得である。
【００２５】
利得調整１０８(１)−（６４）を含む全ての利得調整の出力は、同相ＫデータDIを発生する加算機１２０により加算される。各利得調整１０８は、関連する特定のチャンネルの利得を増減する。利得調整は、関連したチャンネルを処理する加入者装置１０からのパワー制御命令を含むいろいろなファクタ(factors)に応答して、または、チャンネル上で送信されているデータのタイプの差に応答して実行されることができる。各チャンネルの送信パワーを、適当な通信ために必要な最小値にしておくことによって、干渉は減少し、トータル送信容量は増加する。本発明の一実施例において、利得調整１０８は、マイクロプロセッサの形を取ることができる制御システム（図示せず）により構成される。
【００２６】
直角−位相チャネルセット９２の内で、６４−２N IS-９５追尾チャンネルの拡張セットは、IS-９５チャネルシステム１２４を使用して提供される。Ｎは、補充チャンネル(supplemental channel)のために割り当てられたウォルシュ・チャンネルの数に基づく整数値であり、以下により詳細に説明される。IS-９５チャネルシステム１２４(２)−(６４-２N)からの各符号シンボルは、IS-９５追尾チャネルシステム１２４(１)を除いて、乗算器１２８によるウォルシュ発生器１２６からのウォルシュ符号で変調される。それはウォルシュ0.チャンネルに配置され、したがって、変調を必要としない。
【００２７】
高速度補充チャンネルを提供するために、補充チャネルシステム１３２が速度ＲS符号シンボルを発生する。それは、全速度IS-９５追尾チャンネルの２N倍である。各符号シンボルは、乗算器１４０を使用している補充ウォルシュ符号発生器１３４からの補充ウォルシュ符号（ウォルシュS）で変調される。乗算器１４０の出力は、利得調整１３０により調節された利得である。利得調整１３０の該セットの出力は、直角−位相データＤQを産している(yielding)加算機１５０により加算される。IS-９５追尾チャンネルの拡張セットは、完全にまたは部分的に一つ以上の追加された補充チャンネルに置き換えてもよいことが、理解されなければならない。
【００２８】
補充チャネルシステム１３２により実行される処理は、より詳細に以下で記述される。補充ウォルシュ符号発生器１３４により生成されるウォルシュS符号は、直角−位相チャネルセット９２内の高速度補充チャンネルのために割り当てられたウォルシュ符号の数に依存する。本発明の好適な実施例において、高速度補充チャンネルために割り当てられたウォルシュ・チャンネルの数は、値２N(ここで、N=｛２、３、４、５、６｝)のいずれの値でも有り得る。該ウォルシュ符号Sは、IS-９５ウォルシュ符号で使用された６４シンボルというよりは、６４/２Nシンボル長である。高速度補充のチャンネルが６４-シンボル・ウォルシュ符号を有する他の直角−位相チャンネルに直交するために、６４-シンボル・ウォルシュ符号を有する、２Nの可能な６４直角−位相チャンネルは、他の直角−位相チャンネルために使われることができない。表Ｉは、Nの各値ための可能なウォルシュs符号のリストと割当られた６４のシンボル・ウォルシュ符号の対応するセットを提供する。
【表１】
2010200343.tif 000003
【００２９】
＋および−は、正又は負の整数値を示す。ここにおいて、好適な整数は１である。明らかなように、Nが変化するときの各ウォルシュおよび全ての事例(インスタンス，instances)におけるウォルシュ・シンボルの数は、IS-９５ウォルシュ・チャネル符号内のシンボルの数未満である。このように、補充チャンネルは、短ウォルシュ・チャネル符号を使用して形成され、および、IS-９５チャンネルは、より長いウォルシュ・チャネル符号を使用して形成される。ウォルシュS符号の長さに関係なく、本発明の記載されている実施例においては、該シンボルは、毎秒１.２２８８メガチップの速度(Mcps)で印加される。このように、より短いウォルシュ符号は、より頻繁に繰り返される。
【００３０】
データチャネルＤI、および、ＤQは、それぞれ第一の実数および虚数項として、拡散符号ＰＮIとＰＮQを有し、それぞれ第二の実数および虚数項として、同相（または実数）項（ターム、term）ＸIと直角−位相（または虚数）項ＸQを産する、乗算された複素数である。拡散符号ＰＮIとＰＮQは、拡散符号発生器１５２、および、１５４により生成される。拡散符号ＰＮIとＰＮQは、１.２２８８のMcpsで印加される。方程式（１）は、実行される複素数乗算を示す。
【００３１】
（ＸI＋jＸQ）=（ＤI＋jＤQ）（ＰＮI＋jＰＮQ） （１）
同相項ＸIは、それから１.２２８８MHz帯域幅（図示せず）へのローパスフィルターをかけら、同相の搬送波COS(ωcｔ)の乗算によりアップコンバートされる。同様に、直角−位相項ＸQは、１.２２８８MHz帯域幅（図示せず）にローパスフィルターをかけられ、直角-位相搬送波SIN（ωcｔ）の乗算によって、アップコンバートされる。アップコンバートされたＸＩおよびＸQ項は加算され、順方向リンク信号s(t)を産する。
【００３２】
複素数乗算（complex multiplying）は、直角−位相チャネルセット９２が、同相のチャネルセット９０に直交したままであること、したがって、完全な受信器位相復元(recovery)を有する同じパス上で送信される他のチャンネルに付加干渉を加えることなく提供されることを可能とする。このように、６４のウォルシュiチャンネルの完全なセットは最初のIS-９５チャネルセットに直交する形式で加えられ、そしてこのチャネルセットは補充チャンネルのために使うことができる。加えて、直交する直角−位相チャネルセット９２内で補充チャンネルを実行することにより、通常のIS-９５順方向リンク信号を処理するために構成された加入者装置１０は、このように、高伝送速度チャンネルを提供するが、その一方で、逆に既存のシステムとの互換性を維持する同相チャネルセット９０の内で、IS-９５チャンネルを処理できるであろう。
【００３３】
図３に示される本発明の実施例は、同相および直角−位相搬送波の単一のセットを使用して、同相および直角−位相チャネルセットを発生する一方、別々のセットの正弦曲線は、９０度だけ第一のセットからオフセットした第二セットの搬送波で、同相および直角−位相チャネルセットを独立して発生するために使うことができる。例えば、ＤQデータは、第二セットの搬送波正弦曲線（carrier sinusoid）に印加されてもよい。ここで、ＤQ同相(ＰＮI)拡散データは、COS(ωcｔ-９０°)に印加され、ＤQ直角位相(ＰＮQ)拡散データはSIN(ωcｔ-９０°)に印加される。その結果の信号はそれから加算され、直角−位相チャネルセット９２を発生する。それは、順番に、同相チャネルセット９０と加算される。
【００３４】
表Ｉに記載されたウォルシュ・チャンネルを使用することは、直角位相チャネルセット９２の範囲内で補充チャンネルの簡略化された実行を可能とする。特に、表ＩにリストされたウォルシュS符号の使用によって、それらのウォルシュ符号の各々およびすべてを発生する必要性なしに、補充チャンネルは６４のシンボル・ウォルシュi符号の全てのサブセットを使用できる。
【００３５】
例えば、N=５の時、表Ｉにより特定されたウォルシュs符号は、補充チャンネルのために３２の６４-シンボル・ウォルシュi符号の１セットを割り当てる。すなわち、全て偶数のインデックスを付けられた６４-シンボル・ウォルシュ符号、または全て奇数のインデックスを付けられた６４-シンボル・ウォルシュ符号が、補充チャンネルために割り当てられる。これは、拡張IS-９５追尾チャネルセットを実行するために、それぞれ、奇数のインデックスを付けられたか、又は偶数のインデックスを付けられたチャンネルを残す。図３において、ウォルシュS=｛＋−｝および、偶数のチャンネルが拡張IS-９５追尾チャネルセットのために利用できる時は、補充チャンネルは奇数の６４-シンボル・ウォルシュ符号チャンネルを使用する。
【００３６】
もう一つの例において、N=４のとき、関連したウォルシュs符号は、１６の６４−シンボル・ウォルシュｉ符号の１セットを割り当てる。これは、拡張IS-９５追尾チャンネルを実行するために、または、付加補充チャンネルを実行するために、４８の残りのウォルシュi符号の１セットを残す。一般に、特定の値Nに対応するウォルシュS符号を使用することは、単一の、より短いウォルシュS符号のみを使用する補充チャンネルために２N ６４−シンボル・ウォルシュi符号を割り当てる。
【００３７】
単一のウォルシュS符号を使用するウォルシュi符号の全ての部分集合(subsets)割当ては、該部分集合内の偶数分布の６４−シンボル・ウォルシュi符号により容易にされる。例えば、N=５の時のウォルシュi符号は、２で分割され、N=４の時、ウォルシュi符号は４で分割される。補充チャネルを実行するための直角−位相チャネル９２の完全なセットを提供することによってのみ、均一の間隔をおく(evenly spaced)ウォルシュiチャネルの大きいセットの割当てがなされることができ、したがって、一つのウォルシュS符号を使用して実行されることが出来る。
【００３８】
また、単一のより短いウォルシュS符号を使用する６４−シンボル・ウォルシュi符号の部分集合を割り当てることは、高速の補充チャネルを提供することに関連した複雑さを減少させる。例えば、６４−シンボル・ウォルシュi符号のセットを使用する実際の変調を実行すること、及びその結果として生じる調整されたデータを加算することは、ここに記載されている本発明の実行において、使用される一つのウォルシュS発生器の使用と比較して、信号処理資源の実質的な増加を必要とする。
【００３９】
既存のIS-９５順方向リンクの同相チャネルセット９０において、又はＱＰＳＫ変調を有する同相及び直角-位相チャネルにおいて、補充チャネルがあたかも設置されていたかのように、均一の間隔の（evenly spaces）ウォルシュiチャネルの複数のセットが割り当てられることは出来ない。これは、例えばページング、パイロット、および、同相のチャネル上の同期チャネルのような制御機能のために、ある６４のシンボル・ウォルシュiチャネルがすでに割り当てられる理由である。このように、新しい直角-位相ウォルシュ符号間隔（space）を使用することは、補充チャネルの単純化された実行を可能とする。
【００４０】
また、単一のウォルシュS符号を使用することは、補充チャネルの振幅の変化が最小にされるので、高速度補充チャネルの動作を改善する。ここに記載されている実施態様において、振幅は単にウォルシュS符合と関連した正或いは負の整数に基づいている。これは、結果として大きさ０、+２、-２、+４、-４…２N及び-２Nのセットとなる２Nのセットの６４−シンボル・ウォルシュi符号での変調を実施することと対比される。
【００４１】
他の改良において、振幅の変化を減らすことは、順方向リンク信号が、基地局１２または他の順方向リンク送信システムの与えられた最大送信パワー(power)を受信できる範囲を増加する平均対ピーク(the peak-to-average)パワー比率を減少する。
【００４２】
図５は、本発明の一実施例に従って構成された図１の補充チャネルシステム１３２のブロック図である。ユーザ・データは、チェックサム(checksum)情報を受信データに加えるＣＲＣチェックサム発生器２００により受信される。本発明の好適な実施例において、IS-９５のために実行されるように、該データは２０msフレーム中で処理され、１６ビットのチェックサム・データが加えられる。テイル・ビット２０２は、８つのテイル・ビットを各フレームに加える。テイル・ビット２０２の出力は、各フレーム上で速度ＲCで畳み込み符号化を実行する畳み込み符号器２０４によって、データ速度Ｄで受信される。ＲCは、より詳細に下記で説明するように、本発明の異なる実施態様について異なる。
【００４３】
ブロック・インターリーバー２０６は、畳み込み符号器２０４からの符号シンボルをインターリーブし、中継器２０８は繰り返し量Ｍで、インターリーバー２０６からの符号シンボル・シーケンスを繰り返す。繰り返し量Ｍは、本発明の異なる実施態様において変化し、符号化する速度ＲC、および、補充チャネルの速度ＲSに典型的に依存する(図３を参照)。繰り返し量は、更に以下で説明される。マッパー(Mapper)２１０は、中継器２０８からの符号シンボルを受信し、補充チャネルの速度ＲSでの出力である正および負の整数値へ、論理ゼロ及び論理１を変換する。
【００４４】
表IIは、データ入力速度Ｄ、符号化速度ＲC、繰り返し量Ｍ、および、補充チャネルの速度ＲSのリストを提供する。それらは、本発明の異なる実施態様において、使うことができる。いくつかの実施熊様においては、多数の速度が使われる。
【表２】
2010200343.tif 000004
【００４５】
補充チャネルのための３つの符号器入力速度Ｄが示される：３８.４、７６.８、及び１５３.６キロビット／秒。これらの符号器入力速度Ｄの各々に関して、一セットの符号器速度ＲC、N値、及び繰り返し量Ｍが提供され、所望の符号器入力速度Ｄを達成する。加えて、符号シンボルに対するウォルシュS．シンボルの速度が提供される。それは、ウォルシュS符合の長さに対応する。また、２０msフレーム毎に送信される符号シンボルの数として、２０フレーム毎の符号器入力ビットの数が提供される。実際のデータ伝送率は、符号器入力速度Ｄと等しく、ＣＲＣビット及びテイル・ビット及び提供された他のどの制御情報に必要なオーバーヘッド(overhead)より少ない。ＣＲＣチェックサム符号化に追加して、又はこれに代わってリード−ソロモン符号化の使用も、また考察される。
【００４６】
一般に、最大数のウォルシュiチャネル上で補充チャネルを拡散するために、補充チャネルのために可能な最大値Ｎを使用することが望ましい。ウォルシュiチャネルのより大きいセット上で、補充チャネルを拡散することは、同相のチャネルセット９０及び直角−位相チャネルセット９２上の２つの対応するウォルシュiチャネル間の相互(inter)-チャネル干渉の効果を最小にする。この相互チャネル干渉は、受信処理間に経験された不完全な位相の整列(alignment)により形成される。より大きいセットのウォルシュiチャネル上で、補充チャネルを拡散することによって、同相チャネルセット９０中のいずれか特定のウォルシュi．チャネルに関する相互チャネル干渉経験の量は、最小にされる。その理由は、そのウォルシュi．チャネル中の補充のチャネルの部分が小さいことにある。また、より大きい全体チャネル・シンボル速度を有する、より大きいセットのウォルシュiチャネル上で、補充チャネルを拡散することは、フェージング(fading)しているチャネル状況における動作を改善することを可能とする。
【００４７】
速度１/２の符号化を使用している所望の符号器入力速度Ｄのために必要とされるウォルシュ・チャネルの数が、少なくとも係数２による利用可能なウォルシュ・チャネル数未満のときには、動作は多くのウォルシュ・チャネル上で信号を拡散することにより改善される。速度１/２よりはむしろ速度１/４を使用することによって、又はシーケンス反復或いは両方によって、より多数のウォルシュ・チャネルのためのより高いチャネル・シンボル速度が得られる。速度１/４符号は、良性でかつフェージングのチャネル状況にある速度１/２の符号の利得を越える付加的な符号化利得を提供し、シーケンス反復は、増加するダイバーシティに起因するフェージング・チャネル状況において、改善された動作を提供する。
【００４８】
本発明の好適な実施例において、７６.８キロビット／秒の符号器入力速度を有する補充チャネルは、N=５、１/４の符号器速度ＲC、及びＭ=２の反復量Ｎを使用して提供される。この種の実行は、シグナリング(signaling)のための充分な帯域幅を含んでいるＩＳＤＮチャネルオーダ(order)のデータ転送速度を提供する。また、N=５を使用することは、拡張IS-９５チャネルを提供するための３２の付加ウォルシュiチャネルを維持する。
【００４９】
補充チャネルの実際の持続可能な伝送速度は、順方向リンク送信により経験されるマルチパスの量を含むいろいろな環境条件に従って変化する。補充伝送速度は、マルチパスの量に依存する。それは、異なるパスを通して到着する順方向リンク信号は、もはや直交せず、したがって、お互いに干渉するからである。この干渉は、伝送速度の増加により増加する。それは、付加的な送信パワーの必要性の故である。このように、より多くのマルチパス干渉が経験されるほど、補充チャネルの持続可能な送信速度は小さくなる。したがって、補充チャネルのためのより低い伝送速度は、高いマルチパス環境ために選ばれる。
【００５０】
本発明の一実施例において、種々の環境の要因を評価し、及び最適の補充チャネル処理の特徴を選択する制御システムが考察される。また、信号キャンセルの使用が、マルチパス送信に起因するノイズを取り除くために検討される。この種のノイズ・キャンセルを実行する方法と装置は、出願番号０８/５１８，２１７の「複数のマルチプルアクセス送信を処理するための方法とシステム(METHOD AND SYSTERM FOR PROCESSING A ACCESS TRANSMISSIONS)」と名付けた米国特許出願に記載されている。この出願は、本発明の譲受人に譲渡され、ここに取り入れられる。
【００５１】
図６は、本発明の一実施例に従って高速補充チャネルを処理するための受信処理システムのブロック図である。典型的に、受信処理システムは、セルラー電話システムの加入者装置１０において、実行される。
【００５２】
操作の間、アンテナ設備３００により受信されるＲＦ信号は、同相の搬送波３０２とデジタル化された同相の受信サンプルＲIと直角-位相受信サンプルＲQとを発生する直角-位相搬送波３０４でダウンコンバートされる。これらの受信サンプルは、図示されているフィンガー・プロセッサ・モジュール、及びレーキ受信器の使用に従った他のフィンガー・プロセッサ（図示せず）に供される。各フィンガー・プロセッサは、マルチパス現象によって、発生する各インスタンス(instance)で、補充順方向リンク信号のひとつのインスタンスを処理する。
【００５３】
同相の及び直角-位相の受信サンプルＲi、及びＲQは、同相の拡散符号発生器３０６、及び受信ターム(terms)ＹI及びＹQを発生する直角-位相(quadrature-phase)拡散符号発生器３０８とにより発生されるＰＮ拡散符号の複素数共役（conjugate）で乗じられる。受信タームＹI、及びＹQは、ウォルシュ発生器３１０により発生されるウォルシュS符号で変調され、そしてその結果の変調されたデータは、ウォルシュS符号中のウォルシュ・シンボルの数を越えて加算機３１２により加算される。加えて、受信タームＹI、及びＹQは加算され、及びパイロット・フィルタ３１６により濾過される(平均化される)。
【００５４】
加算機３１２の出力はそれからフィルタ・パイロット・データの複素数共役で乗じられ、及び、その結果の直角-位相ターム(term)は補充チャネルソフト-決定(soft-decision)データ３２０で使われる。補充のソフト-決定データ３２０は、それから他のフィンガー・プロセッサー（図示せず）からのソフト-決定データ及び復号され結合されたソフト-決定データとセットみ合わせられることが可能である。
【００５５】
図７は、本発明の一実施例に従った、補充のソフト-決定データ３２０を復号するために用いられる復号器システムのブロック図である。繰り返し量Ｍによりソフト-決定データのサンプルを累算する積算器(accumulator)４００によって、ソフト-決定データは、受信される。累算されたデータは、それからブロック・デインターリーバー(deinterleaver)４０２によって、逆インターリーブされて(deinterleaved)、トレリス復号器４０４により復号される。ビタビ復号器を含むさまざまなタイプの復号器が、周知である。
【００５６】
トレリス復号器４０４からのハード決定(hard-decisuion)データ中のユーザ・データは、それからＣＲＣチェック・システム４０６によって、ＣＲＣチェックサム・データ(checksum data)と照合され、そして、その結果のユーザ・データは、ユーザ・データがチェックサム・データと合致しているかどうか示すチェック結果とともに出力される。受信処理システムまたはユーザは、それから、ＣＲＣチェックサム結果に基づいてユーザ・データを使用するかどうか決定できる。
【００５７】
このように、IS-９５順方向リンクと関連する使用に特に適している高いデータ速度送信システムが説明された。本発明は、同軸ケーブルシステムのような、正弦波の信号が送信される電話線に依存した通信システムと同様に、衛星に依存した無線通信システムと同様の地上に依存した無線通信システムの両方にセットみ込まれることができる。また、本発明は１.２２８８MHz帯域幅信号の状況において記述されるが、２.５MHz及び５.０MHzシステムを含む他の帯域幅の使用も、本発明の操作に合致している。
【００５８】
同様に、本発明は１０kbps及び７０kbpsオーダー上の伝送速度を使用して記述されるが、他のチャネル速度も使用されることができる。本発明の好適な実施例において、ここで記述されている種々のシステムが半導体を使用することは、当該技術分野において、周知の伝導性、誘導性、及び容量性の接続を介して接続された半導体集積回路を使用して実行される。
【００５９】
前述の説明は、いずれの当業者も本発明を作りまたは使用することを可能にするために提供される。これらの実施態様に対する種々の変更態様は、当該技術分野の当業者に自明であり、ここで定義される一般的な原則は、発明力を要することなく、他の実施態様に適用されることができる。このように、本発明はここで示された実施態様に限られることを意図しておらず、ここで開示される原理と及び新しい特長に合致した最も広い範囲で与えられる。
【図１】
2010200343.tif 000005
【図２】
2010200343.tif 000006
【図３】
2010200343.tif 000007
【図４ａ】
2010200343.tif 000008
【図４ｂ】
2010200343.tif 000009
【図４ｃ】
2010200343.tif 000010
【図５】
2010200343.tif 000011
【図６】
2010200343.tif 000012
【図７】
2010200343.tif 000013
【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
符号分割多重アクセス無線周波数信号上でデータを送信するための電気通信システムであって、
一セットの中間速度チャネルを発生するための第一のチャネル発生システムと、
該セットの中間速度チャネルに直交する高速度チャネルを発生するための第二のチャネル発生システムと、
を備え、ここにおいて、前記第二のチャネル発生システムはＮ＝｛２，３，４，５，６｝である６４／２Nのシンボル長の短チャネル符号での短チャネル符号変調器を具備し、前記第二のチャネル発生システムは符号インデックスが付与された均一に間隔をおいた符号を用いて一セットの短チャネル符号を介してデータを送信するための手段を具備する電気通信システム。
【請求項２】
前記第一のチャネル発生システムは、一セットの長チャネル符号変調器を具備している、請求項１に記載の電気通信システム。
【請求項３】
符号分割多重アクセス無線周波数信号上でデータを送信するための方法であって、
一セットの中間速度チャネルを発生することと、
Ｎ＝｛２，３，４，５，６｝である６４／２Nのシンボル長である一セットの短チャネル符号を含み該セットの中間速度チャネルに直交する高速度チャネルを発生することと、
符号インデックスが付与された均一に間隔をおいた符号を用いて前記セットの短チャネル符号を介してデータを送信すること、
を備える方法。
【請求項４】
直接シーケンス・スペクトラム拡散信号処理を使用して多重チャネル通信システムを操作するための方法であって、
多重チャネル・ターム、及び高速度タームを有する複素数データ源を発生す
るもので、
a)一セットの中間速度データ源及び一セットの長チャネル符号に応答して
一セットの中間速度チャネルを発生する工程、
b)前記セットの中間速度チャネルを加算することにより前記多重チャネル
・タームを発生する工程、及び
c)Ｎ＝｛２，３，４，５，６｝である６４／２Nのシンボル長の短チャネル
符号及び高速度データ源に応答して高速度チャネルを発生する工程を具備
する工程と、
同相ターム、及び直角-位相タームを有する複素数拡散符号を発生する工程と、
実数項及び虚数項を産するため前記複素数データ源と前記複素数拡散符号を乗算する工程と、
同相の搬送波で前記実数項を変調する工程と、
直角-位相の搬送波で前記虚数項を変調する工程と、
符号インデックスが付与された均一に間隔をおいた符号を用いて前記セットの短チャネル符号を介して一セットの中間速度チャネル上で高速度データを送信する工程と、
を備えた方法。
【請求項５】
前記セットの中間速度チャネルを発生する工程は、前記セットの長チャネル符号で前記セットの中間速度データ源を変調する工程を具備する、請求項４に記載の方法。
【請求項６】
前記高速度チャネル及び前記セットの中間速度チャネルの振幅を調整する工程をさらに具備する請求項４に記載の方法。
【請求項７】
前記高速度チャネルを発生する工程は、
第二のセットの中間速度データ源及び第二のセットの長チャネル符号に応答して第二のセットの中間速度チャネルを発生する工程、及び前記高速度チャネルで前記第二のセットの中間速度チャネルを加算する工程をさらに具備する、請求項４に記載の方法。
【請求項８】
プロセッサおよびメモリを有し、前記メモリが前記プロセッサにより実行可能なプログラムグラムコードを保持する装置であって、前記プログラムコードが以下の、
一セットの中間速度チャネルを発生すること、
該セットの中間速度チャネルに直交するものでＮ＝｛２，３，４，５，６｝である６４／２Nのシンボル長の短チャネル符号を含む高速度チャネルを発生すること、および
符号インデックスが付与された均一に間隔をおいた符号を用いて前記セットの短チャネル符号を介してデータを送信すること、
を行うためのものである装置。
【請求項９】
プロセッサおよびメモリを有し、前記メモリが前記プロセッサにより実行可能なプログラムグラムコードを保持する装置であって、
前記プログラムコードが以下の、
多重チャネル・ターム及び高速度タームを有する複素数データ源を発生するもので、
a)一セットの中間速度データ源及び一セットの長チャネル符号に応答して
一セットの中間速度チャネルを発生する工程、
b)前記セットの中間速度チャネルを加算することにより前記多重チャネル・
タームを発生する工程、及び
c)Ｎ＝｛２，３，４，５，６｝である６４／２Nのシンボル長の短チャネル
符号及び高速度データ源に応答して高速度チャネルを発生する工程を
具備する、前記発生すること、
同相ターム及び直角-位相タームを有する複素数拡散符号を発生すること、
実数項及び虚数項を産するため前記複素数データ源と前記複素数拡散符号を乗算すること、
同相の搬送波で前記実数項を変調すること、
直角-位相の搬送波で前記虚数項を変調すること、および
符号インデックスが付与された均一に間隔をおいた符号を用いて前記セットの短チャネル符号を介して一セットの中間速度チャネル上で高速度データを送信すること、
を行うためのものである装置。
【外国語明細書】
2010200343000001.pdf